(57)【要約】【課題】従来の梁の連結装置を改良し、登り梁の上側の連結の強度をより一層向上させること。【解決手段】柱１ａや梁２ａ等の構造材の対向する側面に、左右の登り梁３の上側の端部を継手板４ａを介して連結する連結装置であって、継手板には相反する直角方向に延びる上部突出片５ａと下部突出片６ａを有し、上部突出片の先端側に鉤形の係合部７を有しており、登り梁の端面に形成した追込溝９ａに下部突出片６ａを差し込み、継手板４ａを登り梁３の端面にねじ止めし、上部突出片５ａを構造材１ａ，２ａの上面に掛け、対向して設置した上部突出片の係合部７を互いに係合するとともに、係合部同士の間に楔部材１０を打ち込み、上部突出片５ａを構造材にねじ止めすることを特徴とする。【選択図】　　　図１
2004052464.tif 000002
【特許請求の範囲】
【請求項１】
柱（１ａ）や梁（２ａ）等の構造材の対向する側面に、左右の登り梁（３）の上側の端部を継手板（４ａ）を介して連結する連結装置であって、継手板には相反する直角方向に延びる上部突出片（５ａ）と下部突出片（６ａ）を有し、上部突出片の先端側に鉤形の係合部（７）を有しており、登り梁の端面に形成した追込溝（９ａ）に下部突出片（６ａ）を差し込み、継手板（４ａ）を登り梁（３）の端面にねじ止めし、上部突出片（５ａ）を構造材（１ａ，２ａ）の上面に掛け、対向して設置した上部突出片の係合部（７）を互いに係合するとともに、係合部同士の間に楔部材（１０）を打ち込み、上部突出片（５ａ）を構造材にねじ止めすることを特徴とする登り梁の連結装置。
【請求項２】
柱（１ｂ）や梁（２ｂ）等の構造材の一側面に、登り梁（３）の下側の端部を継手板（４ｂ）を介して連結する連結装置であって、継手板には相反する直角方向に延びる上部突出片（５ｂ）と下部突出片（６ｂ）を有し、登り梁の端面に形成した追込溝（９ｂ）に下部突出片（６ｂ）を差し込み、継手板（４ｂ）を登り梁（３）の端面にねじ止めし、上部突出片（５ｂ）を構造材（１ｂ，２ｂ）の上面に掛けてねじ止めし、構造材の登り梁を連結した反対側の側面よりねじボルト（１１）を挿入し、ねじボルトを継手板（４ｂ）を貫通して登り梁（３）にねじ込んで締め付けることを特徴とする登り梁の連結装置。
【請求項３】
下部突出片（６ｂ）の下面側に垂下して設けたロッド（１２）を連結される構造材（１ｂ，２ｂ）に埋め込み、ロッドにねじボルト（１１）を貫通させたことを特徴とする請求項２記載の登り梁の連結装置。
【発明の詳細な説明】
【０００１】
【発明の属する技術分野】
本発明は、登り梁の端部を柱や梁等の構造材に連結する登り梁の連結装置に関するものである。
【０００２】
【従来の技術】
従来、登り梁の端部を柱等に連結する場合、登り梁の端部と柱の側面にほぞとほぞ穴を加工し、ほぞとほぞ穴を嵌合させた上で、登り梁と柱をかすがい等の金具で連結していた。しかし、柱にほぞ穴を加工すると少なからず柱の強度が低下し、また最近では、ほぞやほぞ穴を器用に加工できる熟練した大工が不足していることもあって、ほぞやほぞ穴を使用しない簡単な構造が求められている。
【０００３】
ほぞとほぞ穴を使用しない従来の梁の連結装置として、本出願人が以前に出願して特許を取得したものがある（特許２５０９７８３）。これは、梁を他の梁や桁等に直角に連結するための連結装置の発明であるが、登り梁の連結箇所にも用いることができる。図９は、この装置を用いて柱９０上端部の対向する側面に、左右の登り梁９１の上側の端部をそれぞれ連結した状態を示している。この連結装置は、柱９０と梁９１の間に介在させた上下両端が屈折した継手板９２と、梁９１から継手板９２を貫通して柱９０に斜めに螺入するねじボルト９３で構成され、継手板９２は梁９１の端面にねじ止めされ、継手板の上部屈折片９４が柱９０の端面に掛かりねじ止めされ、継手板の下部屈折片９５が梁の端面に設けた追込溝９６に嵌合している。
【０００４】
【発明が解決しようとする課題】
屋根を支える登り梁には常時下向きに大きな力がかかることから、登り梁と柱との連結箇所においては、登り梁端面の上縁側が柱から離れようとするので、これを防いで連結強度をより一層強化したい場合があった。また、従来の連結装置においては、ねじボルトの締め付けによって登り梁の端面が柱に圧接し、強力な結合状態が得られることになるが、長いねじボルトを斜めに捩じ込むのは作業性が良好とは言えず、また、登り梁にねじボルト用の通し孔を斜めに加工するのは案外面倒なことであった。
【０００５】
本発明は以上に述べたような実情に鑑み、従来の連結装置を登り梁の連結により適したものとするべく改良したものであって、請求項１記載の発明にあっては、登り梁の上側の連結の強度をより一層向上させることを課題とし、請求項２及び３記載の発明にあっては、連結強度を低下させることなく、より一層簡潔で施工しやすい連結装置とすることを課題とする。
【０００６】
【課題を解決するための手段】
上記の課題を達成するために、請求項１記載の発明による登り梁の連結装置は、柱や梁等の構造材の対向する側面に、左右の登り梁の上側の端部を継手板を介して連結する連結装置であって、継手板には相反する直角方向に延びる上部突出片と下部突出片を有し、上部突出片の先端側に鉤形の係合部を有しており、登り梁の端面に形成した追込溝に下部突出片を差し込み、継手板を登り梁の端面にねじ止めし、上部突出片を構造材の上面に掛け、対向して設置した上部突出片の係合部を互いに係合するとともに、係合部同士の間に楔部材を打ち込み、上部突出片を構造材にねじ止めすることを特徴とする。
【０００７】
また、請求項２記載の発明による登り梁の連結装置は、柱や梁等の構造材の一側面に、登り梁の下側の端部を継手板を介して連結する連結装置であって、継手板には相反する直角方向に延びる上部突出片と下部突出片を有し、登り梁の端面に形成した追込溝に下部突出片を差し込み、継手板を登り梁の端面にねじ止めし、上部突出片を構造材の上面に掛けてねじ止めし、構造材の登り梁を連結した反対側の側面よりねじボルトを挿入し、ねじボルトを継手板を貫通して登り梁にねじ込んで締め付けることを特徴とする。
【０００８】
請求項３記載の発明は、上記の構成に加えて、下部突出片の下面側に垂下して設けたロッドを連結される構造材に埋め込み、ロッドにねじボルトを貫通させたことを特徴とする。
【０００９】
【発明の実施の形態】
以下、本発明の実施の形態を図面に基づいて説明する。図６は、木造建築の屋根部分の軸組構造の一例を示しており、登り梁３の上側の端部を柱１ａ（束と呼ぶ場合もある）と梁２ａに連結する箇所Ａ１，Ａ２部と、登り梁３の下側の端部を柱１ｂと梁２ｂに連結する箇所Ｂ１，Ｂ２部に、本発明の登り梁の連結装置を使用している。
【００１０】
まず、Ａ１部における連結装置の構成を図１から図３に即して述べる。ここでは柱１ａ上端部の対向する側面に、左右の登り梁３の上側の端部をそれぞれ継手板４ａを介して連結している。継手板４ａは、一枚の鋼板の上下端部を相反する直角な方向に折り曲げて、上部突出片５ａと下部突出片６ａを形成してある。上部突出片５ａと下部突出片６ａは、横幅を登り梁３と同じ寸法にしてあり、継手板４ａの垂直部分はそれよりも幅を狭くしてある。上部突出片５ａには、先端側に鉤形の係合部７を設けてある。継手板４ａの垂直部分の四隅には取付ねじ１３ａの通し孔１４ａを設け、上部突出片５ａには連結ねじ１５ａの通し孔１６ａを設けてある。
【００１１】
登り梁３の端面には、継手板４ａの垂直部分が収まる継手板の厚み分の凹部８ａと、下部突出片６ａを差し込む追込溝９ａを加工してあり、継手板４ａはその垂直部分が登り梁３の端面と同面となって埋め込まれ、取付ねじ１３ａによって登り梁端面に固定される。その上で上部突出片５ａを柱１ａの上端面に掛けると、図２に示すように、両側の登り梁３，３から延びる上部突出片の係合部７，７が互いに係合する形となる。ここで、係合部同士の間に上から楔部材１０を打ち込むと登り梁３，３の端面が柱１ａ側に引き付けられ、柱と密着する。この状態で上部突出片５ａを連結ねじ１５ａにより柱１ａと固定することで、登り梁３の端面を柱１ａの側面に隙間なく強く密着させて連結できる。この連結装置によれば、楔部材１０を打ち込んだことで登り梁３を柱１ａに引き付ける力が常に働き、長い年月が経過しても楔部材１０が抜けない限り、登り梁３の端面と柱１ａの間に隙間が生ずることがない。さらに図３の仮想線で示すように、登り梁３の上面より斜めにねじボルト１７を挿入し、ねじボルトを柱１ａにねじ込んで締め付けた場合には、より強力に連結できることとなる。この場合には、登り梁３と継手板４ａにねじボルト１７の通し孔を開けておく必要がある。
【００１２】
実施形態では、楔部材１０として円形断面のテーパーピンを用いているが、楔部材は矩形断面の部材であってもよい。また楔部材１０は、表面に横縞のギザギザを設ける等の抜け防止手段を講じてあるとより好ましい。
【００１３】
ここまでは図６のＡ１部における連結装置について説明したが、図６のＡ２部の連結装置は、登り梁３を連結する相手が梁２ａであるというだけで、連結装置の構成は上記と同様である。
【００１４】
続いて、図６のＢ１部における連結装置の構成を図４と図５に即して述べる。ここでは柱１ｂ上端部の一側面に、登り梁３の下側の端部を継手板４ｂを介して連結している。継手板４ｂは、一枚の鋼板の下端部を直角に折り曲げて下部突出片６ｂを形成し、その反対側に別の鋼板を水平に溶接して上部突出片５ｂを形成してある。継手板４ｂの垂直部分には、取付ねじ１３ｂの通し孔１４ｂとねじボルト１１の貫通孔２４を設けてある。上部突出片５ｂには、連結ねじ１５ｂの通し孔１６ｂと、ロッド１２を取り付けるためのボルト１８の通し孔１９を設けてある。
【００１５】
登り梁３の端面には、継手板４ｂの垂直部分が収まる継手板の厚み分の凹部８ｂと、下部突出片６ｂを差し込む追込溝９ｂを加工してあり、継手板４ｂはその垂直部分が登り梁３の端面と同面となって埋め込まれ、取付ねじ１３ｂによって登り梁端面に固定される。上部突出片５ｂの下面側には、円柱形のロッド１２がボルト１８により取り付けられる。ロッド１２には、ねじボルト１１の貫通孔２５を設けてある。
【００１６】
柱１ｂには、上方よりロッド１２が嵌合するほぞ穴２０を加工し、登り梁３を連結する反対側よりねじボルト１１用の通し孔２１と座ぐり穴を加工してある。その上でロッド１２をほぞ穴２０に差し込み、上部突出片５ｂを柱１ｂの上端面に掛けて連結ねじ１５ｂにより固定される。さらに柱１ｂの通し孔２１にねじボルト１１を挿入し、ねじボルト１１を登り梁３にねじ込んで締め付けることで、登り梁３の端面と柱１ｂの側面が隙間なく強く圧接し、強固な連結状態が得られる。また、ロッド１２を柱１ｂに埋め込み、ねじボルト１１をロッド１２に貫通させたことで、継手板４ｂと柱１ｂとが強く結合することから、非常に強力な連結強度が生まれる。なお、ねじボルト１１にはコーチスクリューボルトが使用される。
【００１７】
この連結装置においては、ロッド１２を省略しても良く、図７はその場合の実施形態を示している。ねじボルト１１の締め付けにより登り梁３の端面が柱１ｂに圧接して両部材が連結され、また継手板４ｂの上部を、取付ねじ１３ｂよりも強力なねじボルト２７を使用して登り梁３に固定している。
図６のＢ２部の連結装置は、以上に示した連結装置と、登り梁３を連結する相手が梁２ｂであるという点が異なるだけで、連結装置の構成としては同じである。
【００１８】
以上に述べた連結装置を使用して登り梁３を取り付ける際の手順については、まず登り梁３の両側の端面に、予め継手板４ａ，４ｂを工場や現場で取り付けておく。それから登り梁３をクレーンで吊り上げ、両端部の上部突出片５ａ，５ｂを柱１ａ，１ｂや梁２ａ，２ｂの上面に掛け止め、楔部材１０を上部突出片５ａの係合部７同士の間に打ち込み、上部突出片５ａをねじ止めする。登り梁３の下端側は、通し孔２１からねじボルト１１を登り梁３に螺入して締め付ける。上部突出片５ｂのねじ止めは、その前後いずれであっても良い。
【００１９】
登り梁３は、下側の端部を柱１ｂや梁２ｂから突き出して設ける場合があり、図８はその場合の連結装置を参考に示している。ここでは連結装置として、円柱形の２本のロッド２２ａ，２２ｂを連結ピン２３で屈曲自在に連結したものを用いている。登り梁３と柱１ｂの当接部にはほぞ穴を開けて各ロッド２２ａ，２２ｂを嵌合させ、登り梁と柱に差し込んだ固定ピン２６ａ，２６ｂを各ロッドに貫通させている。
【００２０】
本発明の登り梁の連結装置は、ここに示した実施形態に限定されるものではない。登り梁の端面には、少なくとも追込溝９ａ，９ｂを設ける必要があるが、凹部８ａ，８ｂは省略することもできる。その場合には、継手板４ａ，４ｂの横幅を登り梁の横幅と同じにすることができる。もっとも図１や図４に示すように、凹部８ａ，８ｂを設けてそこに継手板４ａ，４ｂを埋め込めば、登り梁の端面と構造材の側面とが直接密着して継手板が外部に露出しないので、耐火性が向上し、見た目にもすっきりした連結状態となり、より好ましい。
【００２１】
【発明の効果】
請求項１記載の発明による登り梁の連結装置は、左右の登り梁の端部から延びる上部突出片の先端部に互いに係合する係合部を設け、係合部同士の間に楔部材を打ち込んだことにより、左右の登り梁を構造材に向けて引き付ける力が生じるために、継手板を挟んで登り梁の端面と構造材の側面の密着状態が常に維持され、登り梁の連結強度を効果的に高めることができる。
【００２２】
請求項２記載の発明による登り梁の連結装置は、構造材側から登り梁にねじボルトをねじ込んで締め付けることで、継手板を挟んで登り梁の端面と構造材の側面とが圧接し、強力な結合状態が得られる。本連結装置においては、ねじボルトの通し孔を、登り梁に斜めに加工するのではなく構造材の側面に垂直に加工すれば良いので、前加工に要する時間を短縮することができ、また、ねじボルトをねじ込む作業もしやすくなる。
【００２３】
さらに請求項３に記載したように、下部突出片の下面側に設けたロッドを構造材に埋め込み、ロッドにねじボルトを貫通させた場合には、継手板が構造材に一層強固に固定されることから、より強力な連結強度が得られる。
【００２４】
また、本発明の全ての連結装置に共通する効果として、ほぞやほぞ穴等の難しい加工が不要であること、それにともなって構造材と登り梁の強度の低下を防げるといった効果がある。
【図面の簡単な説明】
【図１】登り梁の上側の端部（図６のＡ１部）を連結する連結装置の構成を示す分解斜視図である。
【図２】同じく登り梁の上側の端部の連結箇所（図６のＡ１部）の拡大平面図である。
【図３】図２におけるＡ−Ａ断面図である。
【図４】登り梁の下側の端部（図６のＢ１部）を連結する連結装置の構成を示す分解斜視図である。
【図５】同じく登り梁の下側の端部の連結箇所（図６のＢ１部）の縦断面図である。
【図６】木造建築の屋根部分の軸組構造の一例を示す斜視図である。
【図７】登り梁の下側の端部を柱に連結する連結装置の別の実施形態を示す縦断面図である。
【図８】登り梁の下側の端部を柱から突き出して連結する場合の連結装置の一例を示す縦断面図である。
【図９】従来の梁の連結装置を示す縦断面図である。
【符号の説明】
１ａ，１ｂ　柱
２ａ，２ｂ　梁
３　登り梁
４ａ，４ｂ　継手板
５ａ，５ｂ　上部突出片
６ａ，６ｂ　下部突出片
７　係合部
８ａ，８ｂ　凹部
９ａ，９ｂ　追込溝
１０　楔部材
１１　ねじボルト
１２　ロッド
【図１】
2004052464.tif 000003
【図２】
2004052464.tif 000004
【図３】
2004052464.tif 000005
【図４】
2004052464.tif 000006
【図５】
2004052464.tif 000007
【図６】
2004052464.tif 000008
【図７】
2004052464.tif 000009
【図８】
2004052464.tif 000010
【図９】
2004052464.tif 000011